(57)【要約】【課題】  脳の活性化に有効な指先回し運動を容易に行ない得るようにする補助具を改良して、従来技術に比して一層容易に、かつ快適に指先運動を行ない得る指運動具を提供する。【解決手段】  ベース板１１の周囲には、指先を掛けて固定させる切欠１２ａ、１２ｂ、１２ｃが形成されている。上記ベース板１１に回転板１３が回転可能に嵌め合わされていて、この回転板には指先入れ窪み１４が設けられている。前記ベース板１１の中にモータ２１が内蔵されていて、ベルト２３または減速ギア２６を介して回転板１３を回転駆動する。使用者は、両手の五指のうちの４指でベース板１１を保持しつつ、残りの１指（左右・計２本）を指先入れ窪み１４に差し入れる。差し入れた２本の指で回転板１３を回すこともでき、また、モータ２１を回転させて指回し運動を誘導することもできる。【選択図】  図４
2006087468.tif 000002
【特許請求の範囲】
【請求項１】
環状、ないし、一部分を切り欠いた環状のフレキシブルなリーフ（４）、
または、環状、ないし一部分を切り欠いた環状の、剛性または塑性を有するフレーム（１０）をベース部材とし、
上記のベース部材に沿って、複数個の指先固定シリンダ（５ａ，５ｂ，５ｃ）が配列されていて、
前記複数個の指先固定シリンダは径寸法に大小の差が有って、概要的に大、中、小に区分され、
３個の中径指先固定シリンダ（５ｂ）が相互に隣接して配列されるとともに、その両側に大径の指先固定シリンダ（５ａ）と小径の指先固定シリンダ（５ｃ）とが配置されていることを特徴とする指運動器具。
【請求項２】
前記指先固定シリンダが、
中央部付近がくびれて細くなった形の指先固定シリンダ（６）で置換され、
または、一対の有底短円筒が、底部を対向させて配置された指先固定サック（７）によって置換され、
または、一対の中空円錐が頂部を対向，近接せしめて配置された指先固定コーン（８）によって置換され、
または、一対の皿形部材が頂部を対向，離間せしめて配置された指先固定シート（９）によって置換された構造であることを特徴とする、請求項１に記載した指運動器具。
【請求項３】
指先で支持し得る程度の形状寸法のベース板（１１）と、
該ベース板の周囲に形成された複数個の指先固定切欠（１２ａ，１２ｂ，１２ｃ）と、
該ベース板の中に嵌め込んだ形に配置され、ベース板に直交する仮想の軸の周りに回転し得る回転板（１３）と、
上記回転板の表裏に形成された指先入れ窪み（１４）とを具備しており、
かつ、
（イ）前記回転板（１３）が、ベース板（１１）に形成された孔の中に嵌め合わされて、    該ベース板に接触することなく、永久磁石の磁気浮上作用によって回転自在に支承されており、もしくは、
（ロ）前記回転板（１３）が、ベース板（１１）の厚さ方向を２分する中心面（ｍ−ｍ）
に沿って設けられたブラケット（１５）と、該ベース板に直交するシャフト（１６）とによって回転自在に支承されていることを特徴とする指運動器具。
【請求項４】
モータ（２１）が設置されていて、
前記回転板（１３）と上記モータとの間を伝動連結する手段が設けられていることを特徴とする、請求項３に記載した指運動器具。
【請求項５】
前記のモータ（２１）に電力を供給するバッテリ（２７）と、該バッテリ用の充電器（２８）と、該充電器に電源電力を供給するための収納式電源端子（２９）とを具備していることを特徴とする、請求項４に記載した指運動器具。
【請求項６】
前記の回転板（１３）を指先で回したとき、前記のモータ（２１）に発生する起電力を導出して、電気的メータまたは電気回路に接続するための起電力導出手段（３６）が設けられていることを特徴とする、請求項４に記載した指運動器具。
【発明の詳細な説明】
【技術分野】
【０００１】
本発明は、脳を刺激して活性化させるという学理作用に基づいて指運動を補助する器具に関するものである。
【背景技術】
【０００２】
指回し運動が脳の活性化に有効であることは、医学的にも認められているが、不慣れな者が指回しをすることは易しくない。
そこで従来、各種の指回し運動補助具が案出されている。その中で、本発明に最も近いものに、特許文献１の欄に記載した特開平１０−１４６４０１号公報「指回し体操用の補助具」が有る。
【０００３】
図７は、特許文献１の欄に記載された特開平１０−１４６４０１号公報「指回し体操用の補助具」を示し、（Ａ）は同公報の図１に対応する外観斜視図、（Ｂ）は同公報の図１０に対応する使用状態の斜視図、（Ｃ）は同公報の図６に示された実施形態の部分拡大図の一部分を抽出した斜視図である。
（図７（Ａ）参照）この特許文献１に係る補助具は、板状の本体１の周囲に沿って、その表裏両面に窪み穴２が配列されるとともに、５個のガイド穴３が設けられている。
使用者は図７（Ｂ）のように、左右の指先を窪み穴２に差し入れて本体１を保持しつつ、五指の中の何れか一組（この図では一対の拇指）を挿入し、付記矢印のように回して
運動する。
【特許文献１】特開平１０−１４６４０１号公報
【特許文献２】特開２００１−２９４０７号公報
【特許文献３】登録実用新案公報第３０１３０４８号
【発明の開示】
【発明が解決しようとする課題】
【０００４】
前記公知の発明（特開平１０−１４６４０１号公報）に係る指体操用の補助具（図７）は、指先回し体操の効果に着目するとともに、この指体操が初心者にとって難しいことを看破して、その補助具を工夫したという点で高く評価される。
しかしながら指回し運動の補助具の開発は、未だその途上に在り、改善が望まれる事項も少なくない。
【０００５】
例えば（図７参照）表裏の窪み２に左右の指先を入れて本体１を保持することは、実際にやってみると、健常者であってもなかなか容易ではない。まして障害者の場合は困難であって、肝心の指回しに神経を集中できない。
また、指先を入れる窪み穴２の配置が固定されていて、各人の体格（とりわけ手の大きさ）に順応できない。
さらに、重度障害者の場合は、「２本の指（この図では２本の拇指）を矢印のように回すこと」それ自体が困難であって、他から力を加えて誘導してあげねばならない事例も少なくない。
その上、この体操は根気よく続けることが必要であるにもかかわず、地味で無味乾燥な運動であるから、何らかの工夫を加えて、使用者の興味を引き立てることが望ましい。
その他 、特許文献２の欄に記載した特開２００１−２９４０７号公報に係る発明も有るが、この発明の指運動具は、１個では本願発明が目的とする「４指を突き合わせた形に固定する」という機能が果たされず、５個を連結して公報の図３のようにすると構造複雑で大重量となり、製造コストが高価になる。
【０００６】
本発明は上述の事情に鑑みて為されたものであって、その目的とするところは、
イ．使用者それぞれの体格（とりわけ手の大きさ）に順応することができ、
ロ．指先による器具の保持が容易で指先が外れにくく、使用者が指先回し運動に神経を集  中することができ、
ハ．使用者が興味をもって指先回し運動をすっることができ、
ニ．重度の障害者であっても、指先回し運動を誘導することができる、指先回し運動の補助器具を提供するにある。
【課題を解決するための手段】
【０００７】
請求項１に係る発明の構成は、（図１、および図２参照）、
環状、ないし一部を切り欠いた環状のフレキシブルなリーフ（４）をベース部材とし、  又は、環状、ないし一部を切り欠いた環状の、剛性を有するフレーム（１０）、または塑性を有するフレーム（１０）をベース部材とし、
上記のベース部材に沿って、複数個の指先固定シリンダ（５ａ，５ｂ，５ｃ）が配列されていて、
前記複数個の指先固定シリンダは径寸法に大小の差が有って、概要的に大、中、小に区分され、
３個の中径指先固定シリンダ（５ｂ）が相互に隣接して配列されるとともに、その両側に大径の指先固定シリンダ（５ａ）と小径の指先固定シリンダ（５ｃ）とが配置されていることを特徴とする。
【０００８】
以上に説明した請求項１の発明器具によると、複数個の指先固定シリンダが設けられているので、使用者はこのシリンダの中に指先を差し入れて、容易かつ確実に左右の４指を
対向させて保持することができる。
４指の固定が確実容易であるから、使用者は残り１指の運動に神経を集中することができ、有効な指体操が行なわれる。  
本請求項１の器具は、環状（又は、切り欠かれた環状）の部材をベースとしているので
残り１指（左右１指、計２指）の運動空間が十分に確保されている。
さらに、前記のリーフまたはフレームを変形させ、使用者の体格（手の大きさ）に合わせて、好適に指運動をすることができる。
しかも、前記複数個のシリンダに大小の差が有って合理的に配列されているので、拇指ないし小指のそれぞれにフィットし、違和感なく使用することができる。
【０００９】
請求項２に係る発明の構成は、前記請求項１の発明の構成要件に加えて、（図１および図２の（Ｂ）〜（Ｅ）参照）、前記指先固定シリンダが、
中央部付近がくびれて細くなった形の指先固定シリンダ（６）で置換され、
または、一対の有底短円筒が、底部を対向させて配置された指先固定サック（７）によって置換され、
または、一対の中空円錐が頂部を対向，近接せしめて配置された指先固定コーン（８）によって置換され、
または、一対の皿形部材が頂部を対向，離間せしめて配置された指先固定シート（９）によって置換された構造であることを特徴とする。
【００１０】
以上に説明した請求項２の発明を、前記請求項１の発明と併せて適用すると、使用者の好みに合わせて、各種のシリンダを用いることにより、それぞれの長所を利用できる。
すなわち、中央部がくびれた形のシリンダは、指先の太い人でも窮屈な感じを受けず、指先の細い人でも不安定な感じを受けない。    
また、一対の有底短円筒が、底部を対向させて配置された指先固定サックは、大多数の人が違和感を抱かない上に、その底部内面に柔軟な材料（例えば生ゴム）の内張りを設けることにより、フィーリングを良くして商品価値を向上させることができる。
さらに、一対の中空円錐が頂部を対向，近接せしめて配置された指先固定コーンは、例えば女性で爪を長く伸ばした人でも不都合なく使用することができる。
そして、一対の皿形部材が頂部を対向離間せしめて配置された指先固定シートは、指が特別に太い人であっても不具合なく使用することができるなど、汎用性が大きい。このため、例えば敬老センターの設備器具として好適である。
【００１１】
請求項３に係る発明器具の構成は、（図３参照）
指先で支持し得る程度の形状寸法のベース板（１１）と、
該ベース板の周囲に形成された複数個の指先固定切欠（１２ａ，１２ｂ，１２ｃ）と、  該ベース板の中に嵌め込んだ形に配置され、ベース板に直交する仮想の軸の周りに回転し得る回転板（１３）と、
上記回転板の表裏に形成された指先入れ窪み（１４）とを具備しており、
かつ、
（イ）前記回転板（１３）が、ベース板（１１）に形成された孔の中に嵌め合わされて、    該ベース板に接触することなく、永久磁石の磁気浮上作用によって回転自在に支承    されており、もしくは、
（ロ）前記回転板（１３）が、ベース板（１１）の厚さ方向を２分する中心面（ｍ−ｍ）    に沿って設けられたブラケット（１５）と、該ベース板に直交するシャフト（１６）    とによって回転自在に支承されていることを特徴とする。
【００１２】
以上に説明した請求項３の発明器具によると、指回し運動を妨げることなく、回転板を軽く回すことができる。
すなわち、磁気浮上作用を利用して回転板を支承すると、従来技術では得られなかった無摩擦に近い支持が可能になる。
また、ベース板の中心面に沿って設けられたブラケットを用いることによって、指先回し運動を妨げること無く回転板を片持ち形に支持することができる。
【００１３】
請求項４に係る発明器具の構成は、前記請求項３の発明器具の構成要件に加えて、（図４参照）、
モータ（２１）が設置されていて、
前記回転板（１３）と上記モータとの間を伝動連結する手段が設けられていることを特徴とする。
【００１４】
以上に説明した請求項４の発明器具によると、自力では指先回し運動が困難な重度障害者であっても、モータで回転板を回転させて指先回しを誘導することができる。
誘導運動を行なって慣れさせることにより、次第に自力運動が可能になってゆく。このため、本請求項４の発明器具は、重度障害者に対する治療効果が絶大であって、従来技術にかかる指先回し補助器具では到底期待できなかった実用的効果を奏する。
【００１５】
請求項５に係る発明器具の構成は、前記請求項４の発明器具の構成要件に加えて、（図５参照）、
前記のモータ（２１）に電力を供給するバッテリ（２７）と、該バッテリ用の充電器（２８）と、該充電器に電源電力を供給するための収納式電源端子（２９）とを具備していることを特徴とする。
【００１６】
以上に説明した請求項５の発明器具によると、消耗品である乾電池を必要としないで、
しかも商用電源コンンセントの無い場所で、安価な電力源を用いて誘導方式の指先回し運動を行なうことができる。
【００１７】
請求項６に係る発明器具の構成は、前記請求項４の構成要件に加えて、（図６参照）
前記の回転板（１３）を指先で回したとき、前記のモータ（２１）に発生する起電力を導出して、電気的メータまたは電気回路に接続するための起電力導出手段（３６）が設けられていることを特徴とする。
【００１８】
以上に説明した請求項６の発明器具によると、通常の磁石モータが外部から回転力を与えられて回転したとき発電機として機能することを利用して、指先回し運動の状態を検出することができる。すなわち、別段の電気的装置や半導体素子を設置することなく、指先回し誘導用のモータをそのまま利用して回転センサとして機能せしめる。
これにより、たとえば使用者が指先回しの回転速度を知ったり、回転数累計を知ったりすることができ、目標を定めて運動することが可能になる。また、過度の運動によって不具合を生じないように予防することも可能になる。
【発明の効果】
【００１９】
請求項１の発明器具によると、複数個の指先固定シリンダが設けられているので、使用者はこのシリンダの中に指先を差し入れて、容易かつ確実に左右の４指を対向させて保持することができる。
４指の固定が確実容易であるから、使用者は残り１指の運動に神経を集中することができ、有効な指体操が行なわれる。  
本請求項１の器具は、環状（又は、切り欠かれた環状）の部材をベースとしているので
残り１指（左右１指、計２指）の運動空間が十分に確保されている。
さらに、前記のリーフまたはフレームを変形させ、使用者の体格（手の大きさ）に合わせて、好適に指運動をすることができる。
しかも、前記複数個のシリンダに大小の差が有って合理的に配列されているので、拇指ないし小指のそれぞれにフィットし、違和感なく使用することができる。
【００２０】
請求項２の発明を、前記請求項１の発明と併せて適用すると、使用者の好みに合わせて各種のシリンダを用いることにより、それぞれの長所を利用できる。
すなわち、中央部がくびれた形のシリンダは、指先の太い人でも窮屈な感じを受けず、指先の細い人でも不安定な感じを受けない。    
また、一対の有底短円筒が、底部を対向させて配置された指先固定サックは、大多数の人が違和感を抱かない上に、その底部内面に柔軟な材料（例えば生ゴム）の内張りを設けることにより、フィーリングを良くして商品価値を向上させることができる。
さらに、一対の中空円錐が頂部を対向，近接せしめて配置された指先固定コーンは、例えば女性で爪を長く伸ばした人でも不都合なく使用することができる。
そして、一対の皿形部材が頂部を対向離間せしめて配置された指先固定シートは、指が特別に太い人であっても不具合なく使用することができるなど、汎用性が大きい。このため、例えば敬老センターの設備器具として好適である。            
【００２１】
請求項３の発明器具によると、指回し運動を妨げることなく、回転板を軽く回すことができる。
すなわち、磁気浮上作用を利用して回転板を支承すると、従来技術では得られなかった無摩擦に近い支持が可能になる。
また、ベース板の中心面に沿って設けられたブラケットを用いることによって、指先回し運動を妨げること無く回転板を片持ち形に支持することができる。
【００２２】
請求項４の発明器具によると、自力では指先回し運動が困難な重度障害者であっても、モータで回転板を回転させて指先回しを誘導することができる。
誘導運動を行なって慣れさせることにより、次第に自力運動が可能になってゆく。このため、本請求項４の発明器具は、重度障害者に対する治療効果が絶大であって、従来技術にかかる指先回し補助器具では到底期待できなかった実用的効果を奏する。
【００２３】
請求項５の発明器具によると、消耗品である乾電池を必要としないで、しかも商用電源コンンセントの無い場所で、安価な電力源を用いて誘導方式の指先回し運動を行なうことができる。
【００２４】
請求項６の発明器具によると、通常の磁石モータが外部から回転力を与えられて回転したとき発電機として機能することを利用して、指先回し運動の状態を検出することができる。すなわち、別段の電気的装置や半導体素子を設置することなく、指先回し誘導用のモータをそのまま利用して回転センサとして機能せしめる。
これにより、たとえば使用者が指先回しの回転速度を知ったり、回転数累計を知ったりすることができ、目標を定めて運動することが可能になる。また、過度の運動によって不具合を生じないように予防することも可能になる。
【発明を実施するための最良の形態】
【００２５】
図１は、本発明を適用して構成した指運動器具を示し、（Ａ）は１実施形態の全体的外観斜視図、（Ｂ）は前記と異なる実施形態における指先固定シリンダの外観斜視図、（Ｃ）は更に異なる実施形態における指先固定サックの外観斜視図、（Ｄ）は更に異なる実施形態における指先固定コーンの外観斜視図、（Ｅ）は更に異なる実施形態における指先固定シートの外観斜視図である。
（図１（Ａ）参照）、符号４を付して示したリーフは、フレキシブルな材料で、環状に構成される。環状は、完全な環形であってもよく、仮想線で描いた部分が切りかかれた形状であっても良い。また、円環状であっても角環状であっても、不定形環状であっても良く、要するに中央部に空間が形成されていることを要する。
【００２６】
上記の環状（または切欠き環状）のリーフ４の周囲に、複数個の指先固定シリンダ（５ａ，５ｂ，５ｃ）が装着されている。
前記のリーフが位置している仮想の平面を想定し、前記の指先固定シリンダは、この仮想の平面に直交せしめてある。
上記複数個の指先固定シリンダは、概要的に大中小の区別が有り、３個の指先固定シリンダ・中５ｂが相互に隣接，離間して配設され、その両側に指先固定シリンダ・大５ａと指先固定シリンダ・小５ｃとが配置されている。 
【００２７】
これにより、指先固定シリンダ・大５ａに左右の拇指の指先を入れ、指先固定シリンダ・小５ｃに左右の小指の指先を入れるとともに、他の３指の指先を指先固定シリンダ・中５ｂに入れて、左右の指先を相互に突き合わせ、五指の内の一組（左右２本）を指先固定シリンダから外して互いに回し運動を行なう。
前記のリーフ４がフレキシブルであるから、掌の大きい人でも小さい人でも順応させることができる。
この実施形態では、フレキシブルな合成樹脂材でリーフ４を形成したが、本発明を実施する場合、合成樹脂に限定されるものではなく、例えばスチールを用いても良い。
【００２８】
図１（Ａ）の実施形態においては、左右の指先を入れて突き合わせた形に固定するための部材としてシリンダ（５ａ，５ｂ，５ｃ）を用いたが、上記実施形態の変形例として、次に示す各種の部材を適用することができ、それぞれに長短が有る。
図１（Ｂ）に示したのは、中央部付近がくびれた形に小径になっている指先固定シリンダ６であって、その断面図は図２（Ｂ）のごとくである。
このような形の指先固定シリンダを用いると、指先が太くても窮屈な感じを受けずに挿入することができ、指先が細くても不安定な感じを受けずに指先が固定される。
【００２９】
図１（Ｃ）に示したのは、一対の有底短円筒が底部を対向させて配置された指先固定サ
ック７であって、その断面図は図２（Ｃ）のようになっている。 
このような形の指先固定サックは、太い指先にも細い指先にも、比較的に具合よく適合する。さらに、その底部内面に柔軟な材料（例えば生ゴム）で内張り７ｇを施すと、フィーリングが良くなって商品価値が向上する。
【００３０】
図１（Ｄ）に示したのは、一対の中空円錐が頂部を対向，近接せしめて配置された指先固定コーン８であって、その断面図はず２（Ｄ）に示されている。  
このような形の指先固定コーンは、例えば美容上の関係で爪を長く伸ばしている人であっても、爪が邪魔にならないといった効果が有る。
コーンの頂角を大きくすると図１（Ｅ）のように皿形になる。その断面図は図２（Ｅ）のごとくである。このように構成すると、健常者でさえあれば、極端に太い指先にも極端に細い指先にも順応することができる。
【００３１】
図２は、前掲の図１（Ａ）に示した実施形態の応用例を描いたものであって、（Ａ）は全体的外観斜視図、（Ｂ）は上記と異なる実施形態における指先固定シリンダの断面図、（Ｃ）は更に異なる実施形態における指先固定サックの断面図、（Ｄ）は更に異なる実施形態における指先固定コーンの断面図、（Ｅ）は更に異なる実施形態における指先固定シートの断面図である。
本図２（Ａ）が前記図１（Ａ）と異なる点は、フレキシブルなリーフ４に代えて剛性を有し、若しくは塑性を有するフレーム１０をベース部材としたことである。
【００３２】
実際の工業技術においては、物理学で言うところの完全な剛体は無く、総べての材料が多少の弾性や可塑性を有しているので、前記フレキシブルなリーフ４と剛性を有するフレーム１０との間に明確な境界線は無い。 
要するに、構成部材が指先の力で容易に曲がることに着目した場合はフレキシブルなリーフであり、指先の力では容易に変形しないことに着目した場合は剛性ないし塑性を有するフレームである
例えば前記のフレーム１０を銅合金で構成した場合、手の大きさに合わせて該フレームを曲げることは可能である。このため、図７の従来例のように板状部材に設けた窪み穴が、その位置を変えることができないのに比して、図２（Ａ）の実施形態における複数個の指先固定シリンダは、その位置が可変である。
【００３３】
図３は、前記と更に異なる実施形態の２例を示し、（Ａ）は該２例に共通する全体的な外観斜視図、（Ｂ）は１例における回転板付近の拡大断面側面図、（Ｃ）はもう１例における回転板付近の拡大断面側面図である。
（図３（Ａ）参照）、厚板状のベース板１１の周囲に、３個の指先固定切欠・中１２ｂが配列されるとともに、その両側に指先固定切欠・大１２ａと指先固定切欠・小１２ｃとが配置されている。切欠に大小の差を設けてあるのは、図１の実施形態におけるシリンダの大小と同様で、五指のそれぞれに対応させたものである。
【００３４】
ベース板１１の中央付近に、回転板１３が設けられるとともに、その表裏両面のそれぞれに指先入れ窪み１４が形成されている。
本例の指先入れ窪み１４は有底の穴であるが、これを無底の透孔（図示省略）に構成しても良い。
この回転板１３だけを見ると前掲の図７（Ｃ）に示した従来例に類似しているが、この図３の実施形態の特徴は回転板１３の支持構造に在る。
従来例のように回転板１３を、その周囲に設けた「滑り面」で支承すると、摩擦が大きい。『摩擦力に打ち勝って回すからこそ運動になるのだ』と言ってしまえばそれまでであるが、指先回し運動は筋力トレーニングではない。軽快に長時間の運動をすることも必要である。さらに、障害者も指先回し運動をしなければならないので、回転板１３の回転摩擦は小さいことが望ましい。
【００３５】
（図３（Ｂ）参照）、回転板１３の外周にフランジ１３ａが形成され、ベース板１１のリング溝１１ａに緩やかに嵌合している。ネジ輪１１ｂは、組み立て手順の必要から設けたものである。
ベース板１１と回転板１３とが対向している箇所に、永久磁石を埋め込んで、極性を同じくする磁極同士を向かい合わせる。
同種磁極相互の反撥力によって、回転板１３は磁気浮上現象で支承される。磁力は距離の２乗に反比例するので、接近すると大きい反撥力を受け、離間すると反撥力が弱まる。このため、回転板１３の直径方向に対向している隙間（図において隙間αと隙間β）が同じ寸法となるように保持力が働く。このようにして回転板１３は、ほとんど無摩擦で支承される。
【００３６】
図３（Ｃ）は、前記と異なる回転板支承構造の例である。回転板１３を回転可能に支持する場合、その周囲を支承するよりも、その中心を軸支すると実効回転摩擦が少ないことは明らかである。しかし、回転板１３の中心を軸支しようとすると、支持軸のブラケットが邪魔になる（指回し動作を妨げる）。そこで図３（Ｃ）の例では、指回し動作の邪魔にならないようなブラケット構造を創作した。
【００３７】
すなわち、ベース板１１の厚さ方向（図において左右方向）を二分する中心面ｍ−ｍを想定する。
上記の中心面ｍ−ｍに沿わせてブラケット１５を設け、シャフト１６を支持する。
上記のシャフトは、ベース板１１の板面に直交させる。
上記のシャフト１６によって、２個の回転板１３′を片持ち形に支持する。
これにより、指先入れ窪み１４に差し入れられた指（図示省略）と干渉することなく、回転板１３′を回転自在に支承することができる。
【００３８】
図８は、以上に説明した実施形態の変形例を示す。
図８（Ａ）は、図２（Ａ）に示したフレーム１０と指サック７との取り付け構造を改良した例である。
フレーム１０に取付柱１０ａが一体的に連設されており、指サック７Ａには嵌合穴７ａが形成されている。
図の左半部は組み立て図であり、右半部は分解図である。
このように着脱自在な構成にしておくと、持ち運びに便利なだけでなく、製造工程設計の自由度が大きくなり、その上、意匠的な工夫の可能性が拡大して商品価値を向上せしめることができる。
図８（Ｂ）のフレーム１０には、取付ネジ１０ｂが一体的に連設されており、指サック７Ｂにはメネジ穴７ｂが形成されている。
図の左半部は組み立て図であり、右半部は分解図である。
この（Ｂ）図のように構成しても前掲の（Ａ）図におけると同様な効果が得られる上に、フレームに対する指サックの取り付け状対が確実になる。
【００３９】
図８（Ｃ）に示したベース板１１′は、前掲の図３（Ａ）の実施形態におけるベース板１１と類似の部材であるが、回転板１３が装着されていない。このため、該ベース板１１′の中央部に開口１１ｈが形成されている。このような簡略形にすると、製造コストは最低になる。従って、指体操を練習しなければならない多くの人達に対して、安価な指運動補助具を提供することができる。
なお、図３（Ａ）の実施形態におけるベース板１１の周囲に設けた指先固定切欠には、大，中，小の区分を設けたが、図８（Ｃ）の変形例では、指先固定切欠に大，中，小の差を設けず、全部同じ大きさの指先固定切欠を多数（本例では８個・ただし、１０個でも１２個でも良い）設けてある。
このような、簡略化方向の変形例を考察すると、図１や図２の実施形態における指先固定シリンダや、指先固定サック，指先固定コーン，指先固定シートなどについても、大，中，小の差を無くしたり、設置個数を増やすなどの変形例が考えられ、それぞれ一長一短は有るものの、それぞれ実用的価値を有している。
本発明について、左右の指先を対向させて固定するための構成部材の設置個数を増やしたり減らしたりする変形例、および、左右の指先を対向させて固定するための複数の構成部材の大小寸法差を拡大縮小する変形例は、本発明と実質的に均等であって本発明の技術的範囲に属するものである。
【００４０】
図４は前記と更に異なる実施形態であって、回転板を電気モータで回転駆動できるように構成した指運動器具の２例を示し、（Ａ）はプーリ伝動するように構成した例における部分断面正面図、（Ｂ）はその要部を抽出して描いた側面図、（Ｃ）は歯車伝動するように構成した例における部分断面正面図である。
これらの例のようにモータ駆動する場合は、必ずしも回転摩擦を格別に減少させなくても良いので、回転板１３の支承構造は適宜に構成すれば良い。
【００４１】
（図４（Ａ），（Ｂ）参照）、モータ２１にプーリ・小２２を取り付けるとともに、回転板１３にプーリ・大２０を取り付けて、双方のプーリにベルト２３を巻き掛けて伝動させる。鎖線Ｍはモータの回転軸を表している。
（図４（Ｃ）参照）、回転板１３の周囲にリングギア２４を取り付けるとともに、モータ２１にピニオン２５を取り付け、双方の間に減速ギア２６を配設して伝動させる。
これらの例のように回転板１３をモータ駆動すると、重度障害者であっても指回し運動を誘導して行わせることができる。
当初は誘導されながら指先を回していても、被誘導運動に慣れてくると、次第に自力運動が可能になる。
【００４２】
図５は、前掲の図４に係る指運動器具の使用コストを低減できるように改良した実施形態を示し、（Ａ）は模式的に描いた正面図、（Ｂ１）は要部を拡大して描いた断面正面図、（Ｂ２）は同じく断面側面図である。
本図５（Ａ）に示したように、ベース板１１の中にバッテリ２７を内蔵させる。これにより、商用電源コンセントの無い箇所においても、乾電池を消耗させることなくモータ２１を作動させることができる。この実施例はバッテリ充電用のＤＣアダプタ（図示省略）を備えている。
【００４３】
バッテリ充電用のＤＣアダプタを別途に準備して保管しておく煩わしさを無くするためには、図５（Ｂ１）、（Ｂ２）に示したような充電器内蔵型が好適である。
この実施例では、ベース板１１の中にバッテリ２７と充電器２８とが収納されている。
そして、上記充電器２８を直接的にコンセントへ接続するための収納式電源端子２９が設けられている。
【００４４】
図６は、前掲の図４に示した指運動器具を積極的に利用できる実施例の３例を説明するための図であって、（Ａ）は回転板の回転速度を標示できるように改良した実施形態の模式図、（Ｂ）は更に回転数累計を併せて標示できるように改良した実施形態の模式図、（Ｃ）はゲーム感覚で指先回し運動を行ない得るように改良した実施形態における模式的な系統図である。
【００４５】
（図６（Ａ）参照）、回転板１３を指先で回すと、モータ２１は起電力を発生する。
この実施形態は、上記の起電力を導出する手段を設けたものである。
回転板１３を回転駆動するために設置した永久磁石式のモータ２１に、起電力導出端子３６が設けられている。
上記の起電力はほぼ回転速度に比例するから、前記起電力導出端子３６に電圧計３２を接続すると、回転速度計として機能する。
使用者は、指先回し運動の早さを自分で確かめながら、目標を設定するなどして意欲的に指運動を行なうことができる。
【００４６】
図６（Ｂ）は、回転速度だけでなく回転数累計も標示できるように構成されている。
モータ２１で発生した起電力を導出し、マイコン３３を介して回転速度計３２および回転数計３４に接続する。
このように構成すると使用者は、例えば「毎朝、各指、左回し右回し、それぞれ百回」というように目標を設定して（望ましくは保険士さんに設定してもらて）、楽しみながら指運動を行なうことができる。指先の運動による脳活性化も有益であるが、意欲を持つという精神的緊張による脳活性化も非常に有効である。
【００４７】
図６（Ｃ）に示したように、モータ２１で発生した起電力をＴＶゲーム機３５に入力させると、指運動具３１の回転板１３をＴＶゲーム用の操作ツールとして使用できるようになる。
ゲームのソフトは任意に設定できるが、例えば魚釣りゲームにおけるリール操作を回転板１３でシミュレーションするなど、多くの形態が考えられる。
ゲーム感覚で指先回し運動を行なうことができれば、精神的な障害を受けている人に対しても、心理的な負担を与えることなく自発的に指運動を行なわせることができる。
【図面の簡単な説明】
【００４８】
【図１】本発明を適用して構成した指運動器具を示し、（Ａ）は１実施形態の全体的外観斜視図、（Ｂ）は前記と異なる実施形態における指先固定シリンダの外観斜視図、（Ｃ）は更に異なる実施形態における指先固定サックの外観斜視図、（Ｄ）は更に異なる実施形態における指先固定コーンの外観斜視図、（Ｅ）は更に異なる実施形態における指先固定シートの外観斜視図
【図２】前掲の図１（Ａ）に示した実施形態の応用例を描いたものであって、（Ａ）は全体的外観斜視図、（Ｂ）は上記と異なる実施形態における指先固定シリンダの断面図、（Ｃ）は更に異なる実施形態における指先固定サックの断面図、（Ｄ）は更に異なる実施形態における指先固定コーンの断面図、（Ｅ）は更に異なる実施形態における指先固定シートの断面図
【図３】前記と更に異なる実施形態の２例を示し、（Ａ）は該２例に共通する全体的な外観斜視図、（Ｂ）は１例における回転板付近の拡大断面側面図、（Ｃ）はもう１例における回転板付近の拡大断面側面図
【図４】前記と更に異なる実施形態で、回転板を電気モータで回転駆動できるように構成した指運動器具の２例を示し、（Ａ）はプーリ伝動するように構成した例における部分断面正面図、（Ｂ）はその要部を抽出して描いた側面図、（Ｃ）は歯車伝動するように構成した例における部分断面正面図
【図５】前掲の図４に係る指運動器具の使用コストを低減できるように改良した実施形態を示し、（Ａ）は模式的に描いた正面図、（Ｂ１）は要部を拡大して描いた断面正面図、（Ｂ２）は同じく断面側面図
【図６】前掲の図４に示した指運動器具を積極的に利用できる実施例の３例を説明するための図であって、（Ａ）は回転板の回転速度を標示できるように改良した実施形態の模式図、（Ｂ）は更に回転数累計を併せて標示できるように改良した実施形態の模式図、（Ｃ）はゲーム感覚で指先回し運動を行ない得るように改良した実施形態における模式的な系統図
【図７】特許文献１の欄に記載された特開平１０−１４６４０１号公報「指回し体操用の補助具」を示し、（Ａ）は同公報の図１に対応する外観斜視図、（Ｂ）は同公報の図１０に対応する使用状態の斜視図、（Ｃ）は同公報の図６に示された実施形態の部分拡大図の一部分を抽出した斜視図
【図８】本発明の実施形態における変形例を示し、（Ａ）および（Ｂ）はそれぞれ図１（Ｃ）の指サックの変形例を描いた断面図、（Ｃ）は図３のベース板の変形例を描いた外観斜視図
【符号の説明】
【００４９】
４…リーフ
５…指先固定シリンダ
５ａ…指先固定シリンダ・大
５ｂ…指先固定シリンダ・中
５ｃ…指先固定シリンダ・小
６…指先固定シリンダ
７…指先固定サック
７Ａ、７Ｂ…指サック
７ａ…嵌合穴
７ｂ…メネジ穴
７ｇ…生ゴム内張り
８…指先固定コーン
９…指先固定シート 
１０ａ…取付柱
１０ｂ…取付ネジ
１１…ベース板 
１１…簡略化した変形例のベース板 
１１ａ…リング溝 
１１ｂ…ネジ輪 
１１ｈ…開口
１２…指先固定切欠
１２ａ…指先固定切欠・大 
１２ｂ…指先固定切欠・中 
１２ｃ…指先固定切欠・小 
１３…回転板 
１４…指先入れ窪み 
１６…シャフト 
２０…プーリ・大 
２１…モータ 
２２…プーリ・小
２３…ベルト
２４…リングギア 
２５…ピニオン 
２６…減速ギア 
２７…バッテリ 
２８…充電器 
２９…収納式電源端子 
３０…端子軸
３１…指運動具
３２…回転速度計
３３…マイコン
３４…回転数計
３５…ＴＶゲーム機
３６…起電力導出端子
Ｍ…モータの軸
Ｎ…磁石の北極      
Ｓ…磁石の南極        
α…隙間    
β…隙間
【図１】
2006087468.tif 000003
【図２】
2006087468.tif 000004
【図３】
2006087468.tif 000005
【図４】
2006087468.tif 000006
【図５】
2006087468.tif 000007
【図６】
2006087468.tif 000008
【図７】
2006087468.tif 000009
【図８】
2006087468.tif 000010